(57)【要約】【課題】選局可能な放送信号の識別情報が登録されたプリセットデータを複数記憶し、その中から現在地に適したデータを簡単に選択し得る移動体用放送受信装置を提供する。【解決手段】デジタルテレビ受信制御部４８は、プリセットデータの生成指令を受けると、チューナ部４２にて選局可能な全放送信号の放送チャンネルを検索し、その放送チャンネルをプリセットデータとして、車両の位置情報や日時情報と共にメモリ部４６に格納する。また、プリセットデータの選択指令を受けると、メモリ部４６に記憶されたプリセットデータを位置情報及び日時情報と共に一覧表示し、その表示画面上で選択されたプリセットデータを選局用として設定する。また、プリセットデータの自動切換が設定されているときは、メモリ部４６に記憶されたプリセットデータの中から、位置情報が車両の現在位置に最も近いプリセットデータを検索し、これを選局用として設定する。【選択図】図１
2008109392.tif 000002
【特許請求の範囲】
【請求項１】
受信信号の中から所定放送局からの放送信号を選局する選局手段と、
該選局手段にて選局可能な放送信号の識別情報が登録されたプリセットデータを記憶するプリセットデータ記憶手段と、
外部からプリセットデータの生成指令が入力されると、前記選局手段による選局状態を監視しつつ前記選局手段の選局周波数を変化させることにより、前記選局手段にて選局可能な放送信号を検出し、該検出結果に基づき前記プリセットデータを生成して前記プリセットデータ記憶手段に格納するプリセットデータ生成手段と、
外部から選局指令が入力されると、該選局指令と前記プリセットデータ記憶手段に記憶されたプリセットデータとに基づき、前記選局手段が選局する放送信号を設定する選局制御手段と、
を備え、移動体に搭載して使用される移動体用放送受信装置であって、
前記プリセットデータ記憶手段は、前記プリセットデータ生成手段にて異なるタイミングで生成された複数のプリセットデータを記憶可能に構成されると共に、
前記プリセットデータ生成手段は、前記プリセットデータの生成指令を受けると、移動体に搭載された位置検出手段から現在位置を表す位置情報を取得し、前記生成したプリセットデータに該位置情報を付与して前記プリセットデータ記憶手段に格納するよう構成されており、
更に、前記プリセットデータ記憶手段に記憶された複数のプリセットデータの一つを、前記選局制御手段が使用するプリセットデータとして設定するプリセットデータ設定手段を備えたことを特徴とする移動体用放送受信装置。
【請求項２】
前記プリセットデータ生成手段は、前記プリセットデータ記憶手段に前記プリセットデータを格納する際、前記位置情報に加えて、現在の日時を表す時刻情報を前記プリセットデータに付与することを特徴とする請求項１に記載の移動体用放送受信装置。
【請求項３】
前記プリセットデータ設定手段は、
外部からプリセットデータの設定指令が入力されると、前記プリセットデータ記憶手段に記憶された複数のプリセットデータを、それぞれ、各プリセットデータに付与された情報と共に表示手段に表示するプリセットデータ表示制御手段を備え、
該プリセットデータ表示制御手段が表示手段に表示したプリセットデータの１つが外部から指定されると、該指定されたプリセットデータを、前記選局制御手段が使用するプリセットデータとして設定することを特徴とする請求項１又は請求項２に記載の移動体用放送受信装置。
【請求項４】
前記プリセットデータ設定手段は、
前記プリセットデータの自動切換が設定されているとき、所定時間毎に、前記プリセットデータ記憶手段に記憶されたプリセットデータの中から、位置情報が移動体の現在位置に最も近いプリセットデータを検索するプリセットデータ検索手段を備え、
該プリセットデータ検索手段にて検索されたプリセットデータを、前記選局制御手段が使用するプリセットデータとして設定することを特徴とする請求項１〜請求項３の何れかに記載の移動体用放送受信装置。
【請求項５】
放送局から送信される放送電波の周波数の変更を表す放送周波数変更情報を取得する放送周波数変更情報取得手段と、
該放送周波数変更情報取得手段にて取得された放送周波数変更情報に基づき、前記プリセットデータ記憶手段に記憶されたプリセットデータを更新するプリセットデータ更新手段と、
を備えたことを特徴とする請求項１〜請求項４の何れかに記載の移動体用放送受信装置。
【請求項６】
当該装置は、デジタルテレビ放送を行う放送局からの放送電波を受信し、該受信信号の中から所定放送チャンネルのデジタルテレビ放送信号を選局して、映像及び音声信号を復調するデジタルテレビ放送用の受信装置、であることを特徴とする請求項１〜請求項５の何れかに記載の移動体用放送受信装置。
【発明の詳細な説明】
【技術分野】
【０００１】
本発明は、移動体に搭載されて放送信号を受信する移動体用放送受信装置に関する。
【背景技術】
【０００２】
従来、ラジオやテレビの放送信号を受信する放送受信装置には、通常、使用者が選局操作を簡単に行えるようにするために、当該装置にて受信可能（換言すれば選局可能）な放送信号の識別情報（詳しくは放送周波数や放送チャンネル）をプリセットデータとして記憶しておくメモリ（所謂プリセットメモリ）が設けられている。
【０００３】
また、このプリセットメモリに、異なる受信点で生成した複数のプリセットデータを記憶しておき、放送受信装置の使用時には、使用者が、その複数のプリセットデータの中から所望のプリセットデータを選択して利用できるようにしたものも提案されている（例えば、特許文献１等、参照）。
【特許文献１】特開平８−３３０９０９号公報
【発明の開示】
【発明が解決しようとする課題】
【０００４】
この提案の装置によれば、放送受信装置を自宅で使用するときに選局可能な放送信号のプリセットデータや、放送受信装置を外出先で使用するときに選局可能な放送信号のプリセットデータを記憶できるので、使用者は、自宅で使用するプリセットデータと外出先で使用するプリセットデータを切り換えることで、放送受信装置の選局操作をどこでも簡単に行うことができるようになる。
【０００５】
しかしながら、従来装置、プリセットデータには、放送信号を選局するのに必要な放送周波数や放送チャンネルだけを記憶していたことから、使用者は、プリセットメモリに記憶された複数のプリセットデータがどこで作成されたものかを知ることができなかった。
【０００６】
このため、放送受信装置が自動車等の移動体に搭載されて使用される移動体用のもので、移動体の移動に伴いプリセットデータを切り換える必要がある場合、従来では、プリセットメモリに記憶された複数のプリセットデータの中から現在地において最適なプリセットデータを選択するのに時間がかかり、使い勝手が悪いという問題があった。
【０００７】
本発明は、こうした問題に鑑みなされたもので、受信可能な放送信号の識別情報が登録されたプリセットデータを、異なる受信点毎に複数記憶することができ、しかも、その複数のプリセットデータの中から現在地において最適なプリセットデータを簡単に選択できる移動体用放送受信装置を提供することを目的とする。
【課題を解決するための手段】
【０００８】
かかる目的を達成するためになされた請求項１に記載の移動体用放送受信装置においては、外部からプリセットデータの生成指令が入力されると、プリセットデータ生成手段が、選局手段による選局状態を監視しつつ選局手段の選局周波数を変化させることにより、選局手段にて選局可能な放送信号を検出し、その検出した放送信号の識別情報からなるプリセットデータを生成して、プリセットデータ記憶手段に格納する。
【０００９】
また、プリセットデータ記憶手段は、プリセットデータを複数記憶できるように構成されており、プリセットデータ生成手段は、プリセットデータの生成指令を受けると、移動体に搭載された位置検出手段から現在位置を表す位置情報を取得し、その取得した位置情報をプリセットデータに付与してプリセットデータ記憶手段に格納する。
【００１０】
また、外部から選局指令が入力されると、選局制御手段が、選局指令とプリセットデータ記憶手段に記憶されたプリセットデータとに基づき選局手段が選局する放送信号を設定するが、この選局制御手段が用いるプリセットデータは、プリセットデータ設定手段により設定される。
【００１１】
このように、本発明の移動体用放送受信装置においては、プリセットデータ記憶手段に複数のプリセットデータを記憶可能であるが、各プリセットデータには、そのプリセットデータを生成した受信点の位置情報が付与される。
【００１２】
このため、使用者が、プリセットデータ設定手段が設定するプリセットデータを選択したり、或いは、プリセットデータ記憶手段に記憶されたプリセットデータを編集したりする際には、プリセットデータ記憶手段に記憶されたプリセットデータがどこで作成されたものかを確認することができるようになり、プリセットデータの選択作業或いは編集作業を簡単に行うことができるようになる。
【００１３】
また、プリセットデータ記憶手段に記憶されたプリセットデータには、それぞれ、位置情報が付与されるので、例えば、プリセットデータ設定手段において、選局制御手段が使用するプリセットデータを、移動体の移動に応じて自動で切り換えるようにすることもできる。
【００１４】
なお、プリセットデータ生成手段がプリセットデータ記憶手段にプリセットデータを格納する際には、請求項２に記載のように、位置情報に加えて、現在の日時を表す時刻情報を、プリセットデータに付与するようにしてもよい。
【００１５】
そしてこのようにすれば、使用者が、プリセットデータ設定手段が設定するプリセットデータを選択したり、或いは、プリセットデータ記憶手段に記憶されたプリセットデータを編集したりする際に、プリセットデータ記憶手段に記憶されたプリセットデータがいつ作成されたものかを確認することができるため、プリセットデータの選択作業或いは編集作業をより効率よく行うことができるようになる。
【００１６】
次に、請求項３に記載の移動体用放送受信装置においては、外部からプリセットデータの設定指令が入力されると、プリセットデータ表示制御手段が、プリセットデータ記憶手段に記憶された複数のプリセットデータを、これら各データに付与された付加情報（位置情報や時刻情報）と共に表示手段に表示する。
【００１７】
そして、プリセットデータ表示制御手段は、プリセットデータ表示制御手段が表示手段に表示したプリセットデータの１つが外部から指定されると、その指定されたプリセットデータを、選局制御手段が使用するプリセットデータとして設定する。
【００１８】
従って、この請求項３に記載の移動体用放送受信装置によれば、使用者は、操作スイッチ等の入力手段を介して外部からプリセットデータの設定指令を入力することにより、表示手段に表示されたプリセットデータの位置情報（或いは位置情報と時刻情報）を確認しつつ、選局制御手段を介して放送信号を選局するのに適したプリセットデータを指定することができるようになり、移動体の位置に応じてプリセットデータを選択する際の操作を簡単に行うことができるようになる。
【００１９】
次に、請求項４に記載の移動体用放送受信装置においては、当該装置の動作モードとしてプリセットデータの自動切換が設定されていれば、プリセットデータ検索手段が、所定時間毎に、プリセットデータ記憶手段に記憶されたプリセットデータの中から、位置情報が移動体の現在位置に最も近いプリセットデータを検索する。
【００２０】
そして、プリセットデータ設定手段は、このプリセットデータ検索手段にて検索されたプリセットデータを、選局制御手段が使用するプリセットデータとして設定する。
従って、この請求項４に記載の移動体用放送受信装置によれば、装置の動作モードとしてプリセットデータの自動切換を設定しておけば、選局制御手段にて使用されるプリセットデータが、移動体の位置に適したプリセットデータに自動で切り換えられることになり、使用者は、プリセットデータの切換操作を行うことなく、常時、移動体の位置に適したプリセットデータを利用して選局操作を行うことができるようになる。
【００２１】
ところで、放送局から送信される放送電波の周波数は、同一地域で配信される放送信号の増減等に伴い変更されることがある。そして、このように放送信号の周波数が変更されると、プリセットデータ記憶手段に記憶されたプリセットデータでは、所望の放送局からの放送信号を選局できなくなる。
【００２２】
このため、放送局から送信される放送電波の周波数が変更されたときには、使用者は、移動体をその地域まで移動させて、プリセットデータの生成指令を入力することで、プリセットデータ生成手段に対し、その地域に適したプリセットデータを再度生成させる必要がある。
【００２３】
しかし、このようなプリセットデータの更新作業は使用者にとって煩わしく、また、使用者が放送電波の周波数が変更されたことを知らなければ、プリセットデータの更新操作も行われないので、プリセットデータの更新が遅れてしまうこともある。
【００２４】
そこで、本発明（請求項１〜４）の移動体用放送受信装置には、更に、請求項５に記載のように、放送周波数変更情報取得手段とプリセットデータ更新手段とを設け、放送周波数変更情報取得手段が、放送局から送信される放送電波の周波数の変更を表す放送周波数変更情報を取得し、プリセットデータ記憶手段が、その取得された放送周波数変更情報に基づきプリセットデータ記憶手段に記憶されたプリセットデータを自動で更新するように構成するとよい。
【００２５】
そして、このようにすれば、プリセットデータ記憶手段に記憶されたプリセットデータが自動で最新のものに更新されるようになり、使用者は、プリセットデータ更新のために移動体を移動させて更新操作を行う必要がないので、当該装置の使い勝手を、より向上することができる。
【００２６】
次に、移動体用放送受信装置の内、デジタルテレビ放送を行う放送局（地上局）からの放送信号（デジタルテレビ放送信号）を受信する受信装置は、ラジオ放送やアナログテレビ放送を受信する受信装置に比べて、選局手段にて選局可能な放送信号を検出するのに時間がかかる。
【００２７】
このため、本発明は、請求項６に記載のように、デジタルテレビ放送を受信する移動体用放送受信装置に適用して、受信可能な放送信号が異なる地域毎にプリセットデータを記憶しておき、移動体の移動に応じてプリセットデータを切り換えるようにすれば、より効果を発揮することができる。
【００２８】
なお、デジタルテレビ放送用の受信装置において、選局可能な放送信号を検出するのに時間がかかるのは、デジタルテレビ放送では、放送信号がＯＦＤＭ変調されており、アナログテレビ放送のように、選局した放送信号に含まれる映像搬送波の信号レベル等から放送信号を受信（選局）できた否かを判断することができないためである。
【００２９】
つまり、デジタルテレビ放送において、受信可能チャンネルを検出するには、選局手段にて選局した放送信号から元のデータ（トランスポートストリーム：ＴＳ）を復調しなければならず、その検出に時間がかかるのである。
【発明を実施するための最良の形態】
【００３０】
以下に本発明の実施形態を図面と共に説明する。
図１は、本発明が適用された車載マルチメディアシステムの構成を表すブロック図である。
【００３１】
図１に示すように、本実施形態の車載マルチメディアシステムは、車両（自動車）に搭載されて、画像及び音声による走行案内や、各種マルチメディア機器からの映像及び音声を出力するためのものであり、走行案内及び音声出力を制御するためのカーナビゲーション部２０と、各種マルチメディア機器のコントロールを行うマルチメディア機器コントロール部３０と、地上デジタルテレビ放送を受信するデジタルテレビ受信部４０と、これら各部２０、３０、４０を制御するシステムコントロール部５０、とから構成されている。
【００３２】
また、システムコントロール部５０には、使用者が各種指令を入力するための操作スイッチ群２、走行案内用の画像やテレビ放送画像等を表示するためのディスプレイ４、音声を出力するためのスピーカ６、車速パルスやブレーキ情報等、車両の各種状態を検出して、その情報（車両情報）をシステムコントロール部５０へ入力する車両情報検出部８、等が接続されている。
【００３３】
なお、ディスプレイ４の表示画面には、タッチパネルが設けられており、使用者は、このタッチパネルを操作することによっても、システムコントロール部５０に各種指令を入力することができる。
【００３４】
ここで、カーナビゲーション部２０には、ＧＰＳ受信機等からなる位置検出手段としての自車位置検出部２２、ハードディスク等からなり地図データや経路案内用の音声データ等が予め記録された地図情報記憶部２４、及び、これら各部に接続されたカーナビゲーション制御部２６が備えられている。
【００３５】
カーナビゲーション制御部２６は、ＣＰＵ，ＲＯＭ，ＲＡＭ等からなるマイクロコンピュータを中心に構成されており、地図情報記憶部２４に記憶された地図データや音声データに基づき走行案内用の映像信号や音声信号を生成して、システムコントロール部５０に出力することで、システムコントロール部５０を介して、ディスプレイ４に走行案内用の画像を表示させ、必要に応じてスピーカ６から走行案内用の音声を出力させる。
【００３６】
また、カーナビゲーション制御部２６は、システムコントロール部５０から車両の位置情報が要求されると、自車位置検出部２２にて検出された車両の現在位置を表す位置情報をシステムコントロール部５０に出力する。
【００３７】
次に、マルチメディア機器コントロール部３０は、ＣＤドライブ、ＭＤドライブ、ＤＶＤドライブ、…といった各種マルチメディア機器を制御して、ＣＤ、ＭＤ、ＤＶＤ等の記録媒体から音声や映像が含まれたデータを読み出すためのものであり、ＣＰＵ，ＲＯＭ，ＲＡＭ等からなるマイクロコンピュータを中心に構成されている。
【００３８】
そして、マルチメディア機器コントロール部３０は、ＣＤ、ＭＤ、ＤＶＤ等の記録媒体から読み出したデータを、音声出力用の音声信号或いは表示用の映像信号に変換して、システムコントロール部５０に出力することで、システムコントロール部５０を介して、ディスプレイ４に映像を表示させ、スピーカ６から音声を出力させる。
【００３９】
また次に、デジタルテレビ受信部４０は、車両に搭載されたアンテナ４１を介して地上デジタルテレビ放送の放送電波を受信し、その受信信号の中から所定放送チャンネルのデジタルテレビ放送信号（以下単に放送信号という）を選局して、映像及び音声信号を復調するものであり、チューナ部４２、ＴＳ復調部４４、映像／音声出力回路４５、メモリ部４６、及び、デジタルテレビ受信制御部４８、等から構成されている。
【００４０】
チューナ部４２は、デジタルテレビ受信制御部４８から指定された選局チャンネルの放送信号を、所定の中間周波信号に周波数変換するものであり、このチューナ部４２にて周波数変換された放送信号（中間周波信号）は、ＴＳ復調部４４に入力される。
【００４１】
そして、その放送信号（中間周波信号）は、ＴＳ復調部４４にてＯＦＤＭ復調されることにより、放送局側で放送信号を生成（ＯＦＤＭ変調）する前の元のデータ（トランスポートストリーム：ＴＳ）に変換され、更に、映像／音声が含まれるＭＰＥＧデータと、番組情報などの付属データとに分離される。
【００４２】
そして、その分離されたＭＰＥＧデータは、映像／音声出力回路４５に入力されて、デコード処理されることにより、映像信号及び音声信号に変換され、システムコントロール部５０に出力される。また、番組情報等の付属データは、デジタルテレビ受信制御部４８に入力される。
【００４３】
デジタルテレビ受信制御部４８は、ＣＰＵ，ＲＯＭ，ＲＡＭ等からなるマイクロコンピュータを中心に構成されており、システムコントロール部５０から選局指令を受けると、メモリ部４６に記憶されたプリセットデータの中から選局すべき放送チャンネルを選択して、チューナ部４２の選局チャンネルを制御する選局制御処理や、ＴＳ復調部４４から入力された付属データを処理して映像／音声出力回路４５やメモリ部４６へ送る受信データ処理を実行する。
【００４４】
またメモリ部４６は、ＥＥＰＲＯＭ等の不揮発性メモリから構成されており、デジタルテレビ受信制御部４８を動作させるためのプログラムやユーザ情報、各種情報をディスプレイ４に表示するためのフォントデータ、ＴＳ復調部４４から入力された付属データから得られる番組表情報、チューナ部４２の選局チャンネルを制御するのに用いられるプリセットデータ、等が格納される。そして、デジタルテレビ受信制御部４８は、必要に応じてメモリ部４６に記憶されている情報を取得し、システムコントロール部５０や映像／音声出力回路４５へ送信する。
【００４５】
次に、システムコントロール部５０は、操作スイッチ群２やディスプレイ４のタッチパネルから入力される指令に従い、上記各部２０、３０、４０を動作させると共に、これら各部２０、３０、４０から入力される映像及び音声信号に基づき、ディスプレイ４に映像を表示させ、スピーカ６から音声を出力させるものであり、ＣＰＵ，ＲＯＭ，ＲＡＭ等からなるマイクロコンピュータを中心に構成されている。
【００４６】
そして、システムコントロール部５０は、カーナビゲーション部２０やデジタルテレビ受信部４０からの要求に従い、車両情報検出部８から車両情報を取得してカーナビゲーション部２０に入力すると共に、カーナビゲーション部２０から位置情報を取得してデジタルテレビ受信部４０に入力する、各種情報の中継処理も実行する。
【００４７】
上記のように構成された本実施形態のマルチメディアシステム１０においては、デジタルテレビ受信部４０が本発明の移動体用放送受信装置に相当し、デジタルテレビ受信部４０におけるチューナ部４２が本発明の選局手段、同じくメモリ部４６が本発明のプリセットデータ記憶手段、同じくデジタルテレビ受信制御部４８が本発明の選局制御手段として機能する。
【００４８】
そして、デジタルテレビ受信制御部４８は、選局制御手段としての選局制御処理や受信データ処理とは別に、当該デジタルテレビ受信部４０にて受信可能な（換言すればチューナ部４２にて選局可能な）放送信号を検索して、その検索した放送信号の識別情報である放送チャンネルをプリセットデータとしてメモリ部４６に格納するチャンネルスキャン処理や、メモリ部４６に記憶された複数のプリセットデータの中から選局制御処理に用いるプリセットデータを設定するためのプリセットデータ設定処理及びプリセットデータ切換処理、或いは、ＴＳ復調部４４から入力された付属データの中から放送チャンネルのリパッキング情報を取得してメモリ部４６に格納されたプリセットデータを更新するプリセットデータ自動更新処理、も実行する。
【００４９】
以下、これら各処理について説明する。
図２は、デジタルテレビ受信制御部４８において実行されるチャンネルスキャン処理を表すフローチャートである。
【００５０】
このチャンネルスキャン処理は、使用者が操作スイッチ群２若しくはディスプレイ４のタッチパネルを操作することにより、現在受信可能な放送チャンネルを検索する検索指令（換言すればプリセットデータの生成指令）を入力し、その検索指令（プリセットデータの生成指令）がシステムコントロール部５０からデジタルテレビ受信制御部４８に入力されたときに実行される処理であり、本発明のプリセットデータ生成手段に相当する。
【００５１】
そして、このチャンネルスキャン処理が開始されると、まずＳ１１０（Ｓはステップを表す）にて、チューナ部４２の選局チャンネルとして、予め設定された初期値（本実施形態では、地上デジタルテレビ放送に割り当てられた全放送チャンネル（例えば、ＣＨ１３〜ＣＨ６２：ＣＨはチャンネルを表す）の最下位チャンネル（例えば、ＣＨ１３）を設定し、チューナ部４２にこの初期値の放送チャンネル（例えば、ＣＨ１３）の放送信号を選局させる。
【００５２】
次に、Ｓ１２０では、ＴＳ復調部４４から復調データを取得し、Ｓ１３０にて、ＴＳ復調部４４から復調データを取得できたか否かを判断することにより、チューナ部４２でデジタルテレビ放送の放送信号が選局されたか否かを判断する。
【００５３】
そして、Ｓ１３０にて、ＴＳ復調部４４から復調データを取得できたと判断された場合（つまり、チューナ部４２で現在の選局チャンネルの放送信号を選局できた場合）には、Ｓ１４０に移行して、現在の選局チャンネルを受信可能チャンネルとして選択し、更に、ＴＳ復調部４４から取得した復調データからその選局チャンネルに関するチャンネル情報（放送局名等）を取得した後、Ｓ１５０に移行する。
【００５４】
また、Ｓ１３０にて、ＴＳ復調部４４から復調データを取得できなかったと判断された場合（つまり、現在の選局チャンネルの放送信号はチューナ部４２で選局できない場合）には、そのままＳ１５０に移行する。
【００５５】
次に、Ｓ１５０では、Ｓ１２０及びＳ１３０による判定処理が、地上デジタルテレビ放送の全放送チャンネルに対して行われたか否かを判断し、その判定処理が全放送チャンネルに対して行われていなければ、Ｓ１６０にて、選局チャンネルに値１を加えることで、チューナ部４２の選局チャンネルを変更し、再度Ｓ１２０以降の処理を実行する。
【００５６】
一方、Ｓ１５０にて、Ｓ１２０及びＳ１３０の判定処理が、地上デジタルテレビ放送の全放送チャンネルに対して行われたと判断されると、Ｓ１７０に移行して、システムコントロール部５０を介してカーナビゲーション部２０に車両の位置情報を要求することで、カーナビゲーション部２０から、自車位置検出部２２にて検出された車両の位置情報を取得し、Ｓ１８０に移行する。
【００５７】
また、Ｓ１８０では、システムコントロール部５０から、システムコントロール部５０が管理している現在の年月日及び時刻を表す日時情報を取得する。
そして、Ｓ１８０にて日時情報を取得すると、Ｓ１９０に移行して、Ｓ１４０で受信可能チャンネルとして選択した全ての選局チャンネルと、その放送局名等を表すチャンネル情報を、プリセットデータとして、Ｓ１７０及びＳ１８０で取得した位置情報及び日時情報と一緒に、メモリ部４６に格納し、当該チャンネルスキャン処理を終了する。
【００５８】
なお、メモリ部４６には、多数（例えば１０個）のプリセットデータを記憶できるようにされており、Ｓ１９０では、上記のように生成したプリセットデータを、メモリ部４６のプリセットデータの記憶領域に格納する。
【００５９】
また、Ｓ１９０では、プリセットデータを格納する際、メモリ部４６のプリセットデータの記憶領域が一杯であれば、ディスプレイ４にその旨を表示することで、使用者に、メモリ部４６に記憶されている多数のプリセットデータの中から不要なプリセットデータを消去させ、その消去によって空いた記憶領域に新たに生成したプリセットデータを格納する。
【００６０】
次に、図３は、デジタルテレビ受信制御部４８において実行されるプリセットデータ設定処理を表すフローチャートである。
このプリセットデータ設定処理は、使用者が操作スイッチ群２若しくはディスプレイ４のタッチパネルを操作することにより、放送信号の選局時に使用するプリセットデータの設定指令を入力し、その設定指令がシステムコントロール部５０からデジタルテレビ受信制御部４８に入力されたときに実行される処理であり、本発明のプリセットデータ設定手段に相当する。
【００６１】
このプリセットデータ設定処理が開始されると、まずＳ２１０にて、メモリ部４６に記憶された全てのプリセットデータを読み出し、続くＳ２２０にて、そのプリセットデータを一覧表示する際の表示条件をメモリ部４６から読み出す。
【００６２】
なお、本実施形態では、プリセットデータの表示条件として、メモリ部４６に記憶されたプリセットデータを登録順に表示するか、或いは、車両の現在地とプリセットデータの登録地との距離が短い順（距離順）に表示するかを設定できるようになっており、Ｓ２２０では、現在設定されている表示条件をメモリ部４６から読み出す。
【００６３】
そして、続くＳ２３０では、Ｓ２２０で読み出したプリセットデータの表示条件が登録順であるか距離順であるかを判断し、表示条件が登録順であれば、Ｓ２４０にて、Ｓ２１０で読み出した全プリセットデータを登録日時が最新のものから順に表示するための表示データを生成し、逆に、表示条件が距離順であれば、Ｓ２５０にて、Ｓ２１０で読み出した全プリセットデータを登録地が現在地に最も近いものから順に表示するための表示データを生成する。
【００６４】
次に、Ｓ２６０では、Ｓ２４０又はＳ２５０にて生成された表示データをシステムコントロール部５０に出力することで、システムコントロール部５０を介して、ディスプレイ４にプリセットデータを上記表示条件で一覧表示させる。
【００６５】
なお、このプリセットデータの一覧は、図４に例示するように、メモリ部４６に記憶された各プリセットデータが、そのデータに付与された位置情報や日付情報（図では住所と日付）と共に、登録順（又は距離順）に「プリセット１」、「プリセット２」、…として表示され、一画面では表示できないプリセットデータについては、Ｓ２６０の処理にて、使用者からの指令に従い表示画面をスクロールさせることで、表示できるようにされている。
【００６６】
また、この表示画面には、プリセットデータの表示条件を指定するための２つのアイコン（「時間で並び替え」、「現在地からの距離で並び替え」）も表示されており、このアイコンを選択することで、表示条件を変更することもできる。
【００６７】
次に、Ｓ２６０にて、プリセットデータが一覧表示されると、今度は、Ｓ２７０に移行して、使用者が操作スイッチ群２又はディスプレイ４のタッチパネルを操作して、現在の表示条件とは異なる表示条件のアイコンを選択したか否かを判断することにより、表示条件の変更指令が入力されたか否かを判断する。
【００６８】
そして、Ｓ２７０では、表示条件の変更指令が入力されたと判断すると、メモリ部４６に記憶されている表示条件を変更して、Ｓ２３０に移行し、逆に、表示条件の変更指令は入力されていないと判断すると、Ｓ２８０に移行する。
【００６９】
次に、Ｓ２８０では、使用者が操作スイッチ群２又はディスプレイ４のタッチパネルを操作して、現在表示中のプリセットデータの中の一つを、選局用プリセットデータとして指定したか否かを判断する。
【００７０】
そして、Ｓ２８０にて、使用者が選局用プリセットデータを指定したと判断すると、Ｓ２９０に移行して、その指定されたプリセットデータを、選局制御に用いる選局用プリセットデータとしてメモリ部４６に記憶した後、当該処理を終了し、逆に、Ｓ２８０にて、使用者が選局用プリセットデータを指定していないと判断すると、再度Ｓ２６０に移行する。
【００７１】
なお、このようにメモリ部４６に選局用プリセットデータとして記憶されたプリセットデータは、システムコントロール部５０から選局指令が入力され、上述した選局制御処理にて、その選局指令に従いチューナ部４２の選局チャンネルを変更する際の放送チャンネルを特定するのに使用される。
【００７２】
そして、本実施形態においては、上述したＳ２３０〜Ｓ２６０の一連の処理が、本発明のプリセットデータ表示制御手段に相当する。
次に、図５は、デジタルテレビ受信制御部４８において実行されるプリセットデータ切換処理を表すフローチャートである。
【００７３】
このプリセットデータ切換処理は、使用者が操作スイッチ群２若しくはディスプレイ４のタッチパネルを操作することにより、当該デジタルテレビ受信部４０の動作モードとして、プリセットデータの自動切換モードが設定されているときに、デジタルテレビ受信制御部４８において、メインルーチンの一つとして周期的に実行される処理である。
【００７４】
なお、このプリセットデータ切換処理は、選局用プリセットデータを自動で最適なプリセットデータに切り換えるための処理であり、選局用プリセットデータを手動で設定する際に実行される図３に示したプリセットデータ設定処理と同様、本発明のプリセットデータ設定手段に相当する。
【００７５】
図５に示すように、プリセットデータ切換処理では、まずＳ３１０にて、当該処理を前回実行してから、設定時間が経過したか否かを判断し、設定時間が経過していなければ、そのまま当該処理を終了し、設定時間が経過していれば、Ｓ３２０に移行して、システムコントロール部５０を介してカーナビゲーション部２０に車両の位置情報を要求することで、カーナビゲーション部２０から、自車位置検出部２２にて検出された車両の位置情報を取得する。
【００７６】
次に、Ｓ３３０では、Ｓ３２０にて取得した現在の車両の位置情報とメモリ部４６に記憶された各プリセットデータに付与された位置情報とに基づき、メモリ部４６に記憶されたプリセットデータの中から、現在地に最も近い位置で生成（登録）されたプリセットデータを検索する、プリセットデータ検索手段としての処理を実行する。
【００７７】
そして、続くＳ３４０では、Ｓ３３０にて検索したプリセットデータは、選局用プリセットデータとして既に使用されているか否かを判断し、Ｓ３３０にて検索したプリセットデータが選局用プリセットデータとして既に使用されていれば、そのまま当該処理を終了し、Ｓ３３０にて検索したプリセットデータが選局用プリセットデータとして使用されていなければ、Ｓ３５０に移行する。
【００７８】
Ｓ３５０では、選局用プリセットデータを、Ｓ３３０にて検索したプリセットデータに変更し、Ｓ３６０にて、その旨を表す表示メッセージ及び通知音をシステムコントロール部５０に出力することで、システムコントロール部５０を介して、ディスプレイ４に選局用プリセットデータが変更されたことを表示させると共に、スピーカ６からその旨を表す通知音を出力させて、使用者にその旨を通知し、当該処理を終了する。
【００７９】
次に、図６は、デジタルテレビ受信制御部４８において実行されるプリセットデータ自動更新処理を表すフローチャートである。
このプリセットデータ自動更新処理は、デジタルテレビ受信部４０による受信データに基づくディスプレイ４へのテレビ表示が停止されているとき（つまり、使用者がデジタルテレビ受信部４０を使用していないとき）に、デジタルテレビ受信制御部４８にてメインルーチンの一つとして周期的に実行される処理である。
【００８０】
そして、このプリセットデータ自動更新処理が開始されると、ますＳ４１０にて、ＴＳ復調部４４から受信データを取得し、Ｓ４２０にて、その受信データに、リパッキング情報が含まれているか否かを判断する。
【００８１】
つまり、地上デジタルテレビ放送では、放送局の放送チャンネル（換言すれば放送周波数）が変更されることがあり、その変更時には、放送局から送信される放送信号に放送チャンネルの変更を表すリパッキング情報を付与することから、Ｓ４１０及びＳ４２０では、ＴＳ復調部４４にて、リパッキング情報を含む付属データが復調されたか否かを判断するのである。なお、Ｓ４１０及びＳ４２０の処理は、本発明の放送周波数変更情報取得手段に相当する。
【００８２】
そして、Ｓ４２０にて、受信データにリパッキング情報が含まれていると判断されると、Ｓ４３０にて、現在メモリ部４６に記憶されているプリセットデータは、この最新のリパッキング情報に基づき、既に更新されているか否かを判断し、プリセットデータがまだ更新されていなければ、続くＳ４４０に移行する。
【００８３】
そして、Ｓ４４０では、Ｓ４１０にて取得した受信データに含まれているリパッキング情報に基づき、そのリパッキング情報に対応した（つまり放送チャンネルが変更された放送局を含む）プリセットデータを更新する、プリセットデータ更新手段としての処理を実行し、当該プリセットデータ自動更新処理を終了する。
【００８４】
なお、Ｓ４２０にて、受信データにリパッキング情報が含まれていないと判断された場合や、Ｓ４３０にて、プリセットデータは最新のリパッキング情報に基づき既に更新されていると判断された場合には、当該プリセットデータ自動更新処理をそのまま終了する。
【００８５】
以上説明したように、本実施形態の車載マルチメディアシステムにおいては、操作スイッチ群２若しくはディスプレイ４のタッチパネルを介して使用者がプリセットデータの生成指令を入力すると、デジタルテレビ受信制御部４８が、チャンネルスキャン処理を実行することにより、車両の現在位置で受信（選局）可能な放送信号の放送チャンネルを検索し、検索した各放送チャンネルをプリセットデータとして生成し、その生成したプリセットデータに、現在地を表す位置情報、及び、現在の年月日及び時刻を表す日時情報を付与して、メモリ部４６に格納する。
【００８６】
また、メモリ部４６には、チャンネルスキャン処理を実行する毎に生成される複数のプリセットデータを登録でき、使用者は、その複数のプリセットデータの中から選局制御に使用するプリセットデータを手動で選択できるようにされている。
【００８７】
そして、このように使用者が、複数のプリセットデータの中から選局制御に使用するプリセットデータを選択する際には、プリセットデータ設定処理を実行することにより、ディスプレイ４に、メモリ部４６に格納された全プリセットデータを位置情報及び日時情報（図４では日時情報のうちの年月日）と共に一覧表示する。
【００８８】
このため、使用者は、ディスプレイ４の表示画面上で、メモリ部４６に記憶されている各プリセットデータが生成された場所（登録地）や日時を確認して、車両の現在地に適したプリセットデータを選択することができるようになり、その選択作業を簡単且つ適正に行うことが可能となる。
【００８９】
また、メモリ部４６に格納されたプリセットデータは、必要に応じて、削除、変更等の編集作業を行うことができるが、こうした作業を行う際にも、プリセットデータの一覧表示によって、その内容を確認できることから、編集作業を簡単に行うことができる。
【００９０】
また更に、本実施形態では、プリセットデータの一覧を表示する際には、表示条件を登録順或いは距離順に変更することができることから、使用者は、その一覧の表示画面から、所望のプリセットデータをより簡単に見つけることができるようになる。
【００９１】
一方、本実施形態では、デジタルテレビ受信部４０の動作モードとして、プリセットデータの自動切換モードを設定しておけば、プリセットデータ切換処理が周期的に実行されて、メモリ部４６に記憶されたプリセットデータの中から、登録地が現在地に最も近いプリセットデータが検索され、その検索されたプリセットデータが、選局制御に用いる選局用プリセットデータとして設定される。
【００９２】
このため、本実施形態によれば、例えば、図７に示すように、自宅から会社に至る通勤経路が、放送電波を送信する２つの放送タワーＡ、Ｂのサービスエリアに跨るような場合、各放送タワーＡ、Ｂに近いＡ地点とＢ地点とで、チャンネルスキャン処理を実行させて、各地点で受信可能な放送チャンネルを表すプリセットデータをメモリ部４６に記憶させておけば、その後使用者が通勤経路を通る際には、車両位置に応じて、選局用プリセットデータが、放送タワーＡからの送信電波に対応したプリセットデータと、放送タワーＢからの送信電波に対応したプリセットデータとの何れかに自動で切り換えられることになる。
【００９３】
つまり、本実施形態によれば、デジタルテレビ受信部４０の動作モードとして、プリセットデータの自動切換モードを設定しておけば、使用者は、プリセットデータの切換操作を行うことなく、常時、移動体の位置に適したプリセットデータを利用して選局操作を行うことができるようになり、デジタルテレビ受信部４０の使い勝手を、より向上することができる。
【００９４】
また次に、本実施形態のデジタルテレビ受信部４０は、ディスプレイ４へのテレビ表示を停止しているときには、プリセットデータ自動更新処理を実行することにより、ＴＳ復調部４４にて復調された受信データからリパッキング情報を抽出し、その抽出したリパッキング情報に基づき、メモリ部４６に記憶されているプリセットデータのうち、放送チャンネル（放送周波数）が変更されるプリセットデータを、最新のものに更新するようにされている。
【００９５】
このため、デジタルテレビ放送の放送チャンネルがリパッキングされた場合、使用者は、移動体をそのリパッキング後の放送電波を受信可能な地域まで移動させて、プリセットデータを新たに生成する必要はなく、メモリ部４６に格納したプリセットデータの管理を極めて簡単に行うことができるようになる。
【００９６】
以上、本発明の一実施形態について説明したが、本発明は上記実施形態に限定されるものではなく、本発明の要旨を逸脱しない範囲内にて、種々の態様をとることができる。
例えば、上記実施形態では、車両用放送受信装置としてのデジタルテレビ受信部４０は、車両に搭載されるマルチメディアシステム１０の一部として構成されるものとして説明したが、本発明は、ディスプレイやスピーカを内蔵し、装置単体で映像及び音声を出力し得るデジタルテレビ放送受信装置であっても、或いは、アナログテレビ放送を受信する受信装置であっても、或いは、デジタル若しくはアナログのラジオ放送を受信する受信装置であっても、上記実施形態と同様に適用して、同様の効果を得ることができる。
【００９７】
また上記実施形態では、メモリ部４６に記憶されるプリセットデータには、プリセットデータを生成したときの車両位置を表す位置情報と、そのときの年月日及び時刻を表す日時情報とが付与されるものとして説明したが、この日時情報は必ずしも必要ではなく、単に位置情報を付与するだけでも、本発明の所期の目的は達成できる。
【００９８】
また、この位置情報としては、車両位置を特定できる情報であればよく、例えば、地名であっても、緯度経度の情報であっても、或いは、地図情報記憶部２４に記憶された地図情報を使って位置を特定可能なコードであってもよい。
【００９９】
また更に、上記実施形態では、メモリ部４６に記憶されたプリセットデータは、リパッキング情報に基づき自動で更新されるものとして説明したが、例えば、リパッキング情報を取得した際には、そのリパッキング情報にてプリセットデータを更新するか否かを使用者に問い合わせ、使用者が、プリセットデータの更新指令を入力したときに、プリセットデータを更新するようにしてもよい。また、例えば、リパッキング情報を取得した際に、メモリ部４６に記憶されたプリセットデータは利用できなくなる旨を使用者に通知するだけでもよい。
【図面の簡単な説明】
【０１００】
【図１】実施形態のマルチメディアシステム全体の構成を表すブロック図である。
【図２】チャンネルスキャン処理を表すフローチャートである。
【図３】プリセットデータ設定処理を表すフローチャートである。
【図４】プリセットデータの選択画面を表す説明図である。
【図５】プリセットデータ切換処理を表すフローチャートである。
【図６】プリセットデータ自動更新処理を表すフローチャートである。
【図７】プリセットデータの自動切換動作を説明する説明図である。
【符号の説明】
【０１０１】
２…操作スイッチ群、４…ディスプレイ、６…スピーカ、８…車両情報検出部、１０…マルチメディアシステム、２０…カーナビゲーション部、２２…自車位置検出部、２４…地図情報記憶部、２６…カーナビゲーション制御部、３０…マルチメディア機器コントロール部、４０…デジタルテレビ受信部、４１…アンテナ、４２…チューナ部、４４…ＴＳ復調部、４５…映像／音声出力回路、４６…メモリ部、４８…デジタルテレビ受信制御部、５０…システムコントロール部。
【図１】
2008109392.tif 000003
【図２】
2008109392.tif 000004
【図３】
2008109392.tif 000005
【図５】
2008109392.tif 000006
【図６】
2008109392.tif 000007
【図７】
2008109392.tif 000008
【図４】
2008109392.tif 000009